(57)【要約】      （修正有）【課題】開口付勢機能を備えたプライヤーにおいて、非使用時（収納時）のコンパクト収納を実現する。【解決手段】枢結軸３を突設した枢結軸挟持体と、枢結軸位置を移動選択できる多連軸孔を設けた軸孔挟持体２とを交差させ交差部分を枢結し、枢結軸位置の選択で、挟持部１１，２１の開口間隔が定まる枢結構造を備えた挟持工具であって、枢結軸挟持体における枢結軸の周囲にリング状発条４を設けると共に、発条の一端（係止片４１）が枢結軸挟持体に係止し、他端を対向面から突出させて突出端４２とし、突出端を軸孔挟持体に係止して開口付勢機能を発揮するプライヤーにおいて、枢結軸３が何れかの位置での挟持部閉口回動に際して、突出端４２が係止されない逃げ溝を軸孔側挟持体に設けてなる。【選択図】図１
0003215839.tif 000002
【実用新案登録請求の範囲】
【請求項１】
一対の挟持体を交差させ交差部分を枢結して一端の挟持部を開閉する挟持工具であって、一方の枢結軸挟持体に枢結軸を突設し、他方の軸孔挟持体に枢結軸位置を移動選択できる多連軸孔を形成して、挟持部の開口間隔が定まる各軸位置での開閉回動を可能とした枢結構造を備え、枢結軸挟持体における枢結軸の周囲にリング状発条を設けると共に、前記発条の一端が枢結軸挟持体に係止し、他端を対向面から突出させて突出端とし、前記突出端を軸孔挟持体に係止して開口付勢機能を発揮するプライヤーにおいて、枢結軸が何れかの位置での挟持部閉口回動に際して、前記突出端が係止されない逃げ溝を軸孔側挟持体に設けてなることを特徴とするプライヤー。
【請求項２】
挟持部が嘴状に形成され、軸孔挟持体の柄部方向に軸長孔を設けたウォーターポンプ型プライヤーにおいて、挟持部開口間隔が最小となる軸位置における開閉操作時に、発条の突出端が係止されない逃げ溝を設けてなる請求項１記載のプライヤー。
【請求項３】
柄部方向と直交する方向に軸孔を設けたコンビネーション型プライヤーにおいて、挟持部開口間隔が最小となる軸位置以外における開閉操作時に、発条の突出端が係止されない逃げ溝を設けてなる請求項１記載のプライヤー。
【請求項４】
軸孔を横三連に形成して、中間軸孔の軸位置における開閉操作時に、発条の突出端が係止されない逃げ溝を設けてなる請求項３記載のプライヤー。
【考案の詳細な説明】
【技術分野】
【０００１】
本考案は、開口範囲を変更可能として挟持工具であるプライヤーに関するものである。
【背景技術】
【０００２】
コンビネーションプライヤーは周知のとおり、幅狭の通路で連通させた複数の軸孔を備えた挟持体と、前記通路幅に周面を切欠した枢結軸を備えた挟持体を組み合わせ、枢結軸を所望の軸孔内に位置させて挟持操作を行い所望の作業を行う工具として知られている。
【０００３】
またウォーターポンププライヤーと称される挟持工具は、嘴状の挟持部を備え、一方に柄部に添った長軸孔を設け、他方に枢結軸を備えた挟持体で構成し、幅狭通路で連続させた長軸孔と切欠枢結軸とを組み合わせ、或いは長軸孔の両側に設けた篏合凹条と枢結軸周囲に設けた弧状突部を組み合わせて、所望の枢結軸位置で挟持操作を可能としている。
【０００４】
前記の挟持工具において開口付勢することで挟持工具を使い易くすることが知られている。開口付勢構造としては種々提案されているが、特許文献１、２には、枢結軸の対向面周囲にリング状発条を配置し、発条先端を対向面側に突出させ、閉口動作において前記突出部が軸孔側壁に当接して発条が縮径し、発条の反発力が開口付勢力として作用する挟持工具が開示されている。
【先行技術文献】
【特許文献】
【０００５】
【特許文献１】実公平４−５２６１号公報。
【特許文献２】実用新案登録第３０７３９２７号公報。
【考案の概要】
【考案が解決しようとする課題】
【０００６】
開口付勢機能を備える挟持工具においては常時開口状態となっている。このため非使用時の収納に際して開口状態のままであるとコンパクトに収納されずに不便である。プライヤー以外の挟持工具においては、閉口維持構造を付加することも行われているが、当該構造付与によって工具構造が複座になり製造コストも嵩む。
【０００７】
そこで本考案は、もっとも簡易な手段で収納時のコンパクト化を実現できる改良を施したプライヤーを提案したものである。
【課題を解決するための手段】
【０００８】
本考案の請求項１記載に係るプライヤーは、一対の挟持体を交差させ交差部分を枢結して一端の挟持部を開閉する挟持工具であって、一方の枢結軸挟持体に枢結軸を突設し、他方の軸孔挟持体に枢結軸位置を移動選択できる多連軸孔を形成して、挟持部の開口間隔が定まる各軸位置で開閉回動を可能とした枢結構造を備え、枢結軸挟持体における枢結軸の周囲にリング状発条を設けると共に、前記発条の一端が枢結軸挟持体に係止し、他端を対向面から突出させて突出端とし、前記突出端を軸孔挟持体に係止して開口付勢機能を発揮するプライヤーにおいて、枢結軸が何れかの位置での挟持部閉口回動に際して、前記突出端が係止されない逃げ溝を軸孔側挟持体に設けてなることを特徴とするものである。
【０００９】
而して挟持体の開閉操作を行って挟持部での所定の挟持作業を行う際に、枢結軸挟持体に設けた発条の突出端が軸孔挟持体に係止して、閉口動作でリング状発条が縮径して弾性反発力が生じ、閉口動作を解除すると前記の反発力で挟持体が開口する。
【００１０】
更に軸位置を所定位置にし、当該位置での閉口動作では発条の突出端が逃げ溝に入り込み、挟持部の開閉動作においては発条の機能が発揮されない。従って非使用時には当該軸位置において挟持部を閉口状態としてコンパクトに収納できることになる。
【００１１】
また本考案の請求項２記載に係るプライヤーは、挟持部が嘴状に形成され、軸孔挟持体の柄部方向に軸長孔を設けたウォーターポンプ型プライヤーにおいて、挟持部開口間隔が最小となる軸位置における開閉操作時に、発条の突出端が係止されない逃げ溝を設けてなるもので、ウォーターポンプ型プライヤーとして最も使用頻度が低い挟持部の開口間隔が最小となる軸位置で開口付勢機能が働かないので、当該軸位置で閉口状態が維持されることになる。
【００１２】
本考案の請求項３記載に係るプライヤーは、柄部方向と直交する方向に軸孔を設けたコンビネーション型プライヤーにおいて、挟持部開口間隔が最小となる軸位置以外における開閉操作時に、発条の突出端が係止されない逃げ溝を設けてなるものであり、請求項４記載のプライヤーは、前記のプライヤーにおいて、特に軸孔を横三連に形成して、中間軸孔の軸位置における開閉操作時に、発条の突出端が係止されない逃げ溝を設けてなるものである。
【００１３】
従ってコンビネーション型プライヤーにおいて最も使用頻度が高いと認められる挟持部の開口間隔が最小となる軸位置では開口付勢機能が作用するものである。また軸孔を横三連として挟持部の開口間隔が最小の場合と最大の場合に開口付勢機能が発揮され、中間軸孔に枢結軸が位置した際には、開口付勢機能が作用せずに挟持部閉口状態が維持されるものである。
【考案の効果】
【００１４】
本考案の構成は上記のとおりで、多連軸孔を備え挟持部の開口間隔を変更できるプライヤーにおいて、対向する挟持体間にリング状発条を介装して開口付勢機能を備えると共に、所定の軸位置において、発条の係止を解除する構成としたもので、使用時においては開口付勢機能を発揮し、非使用時には閉口状態を維持できる軸位置として、コンパクト収納を実現したものである。
【図面の簡単な説明】
【００１５】
【図１】本考案の第一実施例（ウォーターポンプ型プライヤー）の枢結部分の分解斜視図。
【図２】同枢結軸挟持体の枢結部分の表面側の説明図。
【図３】同両挟持体の対向面側の説明図。
【図４】同開口付勢機能解除状態の説明図。
【図５】同開口付勢機能発揮状態の説明図。
【図６】本考案の第二実施例（コンビネーション型プライヤー）の枢結部分の同両挟持体の対向面側の説明図。
【図７】同開口付勢機能解除状態の説明図。
【図８】同開口付勢機能発揮状態の説明図。
【考案を実施するための形態】
【００１６】
次に本考案の実施形態について説明する。図１乃至５は第一実施例を示したもので、この実施例はウォーターポンプ型プライヤーに本考案を適用したものである。
【００１７】
プライヤーの基本構造は従前の工具と同様に、枢結軸挟持体１と、軸孔挟持体２と、枢結軸３と、リング状の発条４と、緊締ナット５で構成される。
【００１８】
枢結軸挟持体１は、嘴状の挟持部１１と枢結面部１２と把手部１３を備え、枢結面部１２には、軸装着孔１４と、バネ装着溝１５を設けてなる。前記の軸装着孔１４は、後述する枢結軸３の軸部３２が嵌合する形状で、バネ装着溝１５は、枢結面部１２の表面側に軸装着孔１４の周囲に円形に設け、溝底に後述するリング状発条４の係止端４１及び突出端４２が嵌合する弧状貫通孔１６を設けたものである。
【００１９】
軸孔挟持体２は、嘴状の挟持部２１と枢結柄部２２と把手部２３を備え、枢結柄部２２には、柄方向に添った多連軸孔２４を設けたものである。
【００２０】
多連軸孔２４は、枢結軸３の軸部３２における回動外周部３２１に対応する軸孔部２４１と、切欠部（細幅部）３２２に対応する通過部２４２が順次形成された長軸孔であり、多連軸孔２４の柄部側端には、リング状発条４の突出端４２が係止される係止凹部２５を設け、多連軸孔２４の挟持部側端には、逃げ溝２６を設けてなる。
【００２１】
枢結軸３は、所定の大きさの頭部３１と、枢結面部１２の高さと一致する軸部３２と連結螺軸３３で構成され、軸部３２は、回動軸としての外周面となる回動外周部３２１と、回動外周部３２１の一部を細幅に切欠した切欠部３２２を備える形状としたものである。
【００２２】
リング状発条４は、両端部を屈曲して係止片４１と突出端４２を設けたもので、バネ装着溝１５内に納めた際に、係止片４１及び突出端４２が弧状貫通孔１６内に押し込まれ、係止片４１が弧状貫通孔１６内に納められ、突出端４２が枢結面部１２の対向面から突出する長さとしたものである。
【００２３】
而して前記のようにリング状発条４を枢結軸挟持体１のバネ装着溝１５に納め、枢結軸３を軸装着孔１４に挿着し、長軸孔２４に枢結軸３を挿通して軸孔挟持体２を枢結軸挟持体１に重ね合わせ、突出する連結螺軸３３に緊締ナット５を螺合して、両挟持体１，２の交差部分が枢結する挟持工具（ウォーターポンプ型プライヤー）とするものである。
【００２４】
前記のウォーターポンプ型プライヤーは従前の工具と同様に、長軸孔２４内を枢結軸３が移動し、所望の挟持部１１，２１の開口間隔が得られ軸位置で開閉操作（挟持作業）を行うもので、その際に突出端４２が長軸孔２４の内壁に当接し、閉口回動すると突出端４２が前記内壁に押されて、リング状発条４が縮径して弾性反発力が生じ、閉口動作を解除すると前記の反発力で挟持部１１，２１が開口する（図５参照）。尚係止凹部２５は最大開口間隔時（軸位置が長軸孔の柄側端の時）に、突出端４２が係止可能とする部位として形成したものである。
【００２５】
更に挟持部１１，２１の開口間隔が最小となる軸位置（軸位置が長軸孔の挟持部側端）における開閉操作時においては、突出端４２が逃げ溝２６に入り込み、開口付勢機能が発揮されずに、当該軸位置で閉口状態が維持されることになる。
【００２６】
従ってウォーターポンプ型プライヤーにおいては、最も使用頻度が低い挟持部１１，２１の開口間隔が狭い状態で、開口付勢がなされないので、当該軸位置で工具を閉口状態として、コンパクト収納を実現する。
【００２７】
次に第二実施例について説明する。第二実施例は図６乃至８に示したとおりコンビネーション型プライヤーに本考案を適用したものである。
【００２８】
基本構造は従前のコンビネーション型プライヤーと同様に、枢結軸挟持体６と、軸孔挟持体７と、前記第一実施例と同様の枢結軸３と、リング状の発条４と、緊締ナット５で構成される。
【００２９】
枢結軸挟持体６は、挟持部６１と枢結面部６２と把手部６３を備え、枢結面部６２には、軸装着孔６４と、バネ装着溝６５を設けてなる。前記の各部の構成は第一実施例と同様の構造である。
【００３０】
軸孔挟持体７は、挟持部７１と枢結面部７２と把手部７３を備え、枢結面部７２には横三連の多連軸孔（三連軸孔）７４を設けたものである。更に三連軸孔７４は、枢結軸３の回動を可能とした軸孔部７４１ａ，７４１ｂ，７４１ｃと、軸孔部間を連通する細幅の通過部７４２が順次形成されている。
【００３１】
また最大開口間隔側の軸孔部７４１ｃには、リング状発条４の突出端４２が係止される係止凹部７５を設け、中間位置の軸孔部７４１ｂを中心として挟持体６，７を回動した際のリング状発条４の突出端４２の回動軌跡と対応する逃げ溝７６を設けてなるものである。
【００３２】
而して従前の工具と同様に。軸位置を選択して挟持部６１，７１の開口間隔を選択して挟持作業に供するもので、枢結軸３を挟持部６１，７１が最小間隔となる軸孔部７４１ａ及び最大間隔となる軸孔部７４１ｃに位置させての開閉動作においては、突出端４２が三連軸孔７４の内壁或いは係止凹部７５の周壁に当接し、閉口回動すると突出端４２が前記内壁に押されて、リング状発条４が縮径して弾性反発力が生ずることになり、開口付勢機能が発揮されての挟持作業となる。
【００３３】
また特に中間の軸孔部７４１ｂに枢結軸３を位置させた場合には、挟持部６１，７１を開閉した際に、突出端４２が逃げ溝７６に入り込み、開口付勢機能が発揮されない。
【００３４】
従って工具の収納時には、開口機能が発揮されない軸位置とし、挟持部６１，７１を閉口状態として、コンパクト収納を実現する。
【符号の説明】
【００３５】
１      枢結軸挟持体
１１    挟持部
１２    枢結面部
１３    把手部
１４    軸装着孔
１５    バネ装着溝
１６    弧状貫通孔
２      軸孔挟持体
２１    挟持部
２２    枢結柄部
２３    把手部
２４    多連軸孔（長軸孔）
２４１    軸孔部
２４２    通過部
２５    係止凹部
２６    逃げ溝
３      枢結軸
３１    頭部
３２    軸部
３２１    回動外周部
３２２    切欠部（細幅部）
３３    連結螺軸
４      リング状発条
４１    係止片
４２    突出端
５      緊締ナット
６      枢結軸挟持体
６１    挟持部
６２    枢結面部
６３    把手部
６４    軸装着孔
６５    バネ装着溝
７      軸孔挟持体
７１    挟持部
７２    枢結面部
７３    把手部
７４    多連軸孔（三連軸孔）
７４１ａ，７４１ｂ，７４１ｃ  軸孔部
７４２    通過部
７５    係止凹部
７６    逃げ溝
【図１】
0003215839.tif 000003
【図２】
0003215839.tif 000004
【図３】
0003215839.tif 000005
【図４】
0003215839.tif 000006
【図５】
0003215839.tif 000007
【図６】
0003215839.tif 000008
【図７】
0003215839.tif 000009
【図８】
0003215839.tif 000010